(57)【要約】【課題】現金を扱うレジ係などの無防備な者が賊に襲われた場合、身の安全を守るとともに相手に反撃を加えて逮捕に結びつけ、犯罪の再発を防止する器具を提供する。【解決手段】小型・軽量の盾本体１に強化フィルム９・１０を貼り、背面に取り付けた取っ手２内に催涙ガスのスプレー缶４を組み込み、噴射ボタン５を押すことにより、賊の顔面に向かって催涙ガスが発射され、スタンガン７により相手の身動きを封じ込めるものである。【選択図】　図１
2004138374.tif 000002
【特許請求の範囲】
【請求項１】
盾本体の両面に全域を覆うフィルムを貼付し、盾面を前方に向けて湾曲させ、盾背面に取っ手を装着し、盾背面の一部を隠す部位を設け、外周縁に外枠を嵌めたことを特徴とする多機能盾。
【請求項２】
操作ノブを配置した取っ手内にスプレー缶を収納し、スプレー缶の噴射口から盾本体を貫通して表面まで達するノズル管を設けたことを特徴とする請求項１の多機能盾。
【請求項３】
盾本体の背面に防犯用のスタンガンを装着し、表面のスタンガン取り付け用のボルトの頭部を放電電極と兼用することを特徴とする請求項１または請求項２の多機能盾。
【発明の詳細な説明】
【０００１】
【発明の属する技術分野】
この発明は、コンビニ・銀行等で現金を扱う者が現金強盗に襲われたときに身を守るため、狭い室内でも使用できる小型の盾に関するものである。
【０００２】
【従来の技術】
これまで、暴動鎮圧用の大型の盾は存在していたが、狭い室内で使用できる小型の盾が製品化されていないため、店頭で現金を扱うレジ係などが現金強盗に襲われナイフ等の武器を突きつけられた場合、レジ係個人としては身を守るすべがなく無防備同然であった。したがって、無抵抗でみすみす大金を渡してしまったり、抵抗を試みたがために重軽傷を負ったり、場合によっては命をも落とすというケースも稀ではなかった。最近この種の事件が後を絶たないのが現実である。
【０００３】
従来の仕様の盾が、ｗｗｗ．ｓｕｎｃｅｎｔｅｒ．ｃｏ．ｊｐ／ｍｅｓｓｅ／ｃｏｍｐ／ｎａｎｗａで販売されている。製品はポリカーボネートを加工した盾である。この盾は透明であるため視認性は良好であるが、素材単価の面では不利である。また、盾を小型化すると防護効果が低下する問題点がある。
【０００４】
また、特開２００２−２６７３９８号公報には、金属やセラミックス等の素材強度の高い不透明な素材からなる防護盾において、盾本体に前方の視界を確保するため光の屈曲路を有するスコープを装着した発明が提案されている。しかし、スコープを取り付けた面の視界は確保できても、盾全体の視認性では不利である。また、盾を小型化するとスコープと盾全体のバランスが悪くなる点と、防護効果が低下する問題点がある。
【０００５】
特開２０００−３５２９８号公報には、透明な強化プラスチック製の盾本体に取っ手を装着し、外縁部ならびに盾面上で縦横に交錯する堤体を設けたことにより、襲ってくる刃物が盾の周囲に流れるのを阻止する構造を有する防刃盾の発明が提案されている。この盾も視認性は良いが構造が複雑となるため、加工や組み立て面では不利である。また、盾を小型化すると盾としてのバランスが悪くなる点と、防護効果が低下する問題点がある。
【０００６】
特開平７−３３２８９６号公報には、フラットな盾本体の一部をくり抜いてのぞき窓とし、耐弾性を有する透明板を嵌め込み、複数の盾を横に連結する連結具を装着し、盾を立て掛けるスタンドを有する防護盾の発明が提案されている。しかし、盾本体と透明板との段差が生じる点、接合保証の問題点などで不利である。また、盾を小型化すると盾本体と透明板とのバランスが悪くなる点と、防護効果が低下する問題点がある。
【０００７】
また、実登３０８４７６９号公報には、盾中央部を隆起させ、盾面の周縁部を湾曲形状の半円形に形成した発明が提案されている。この盾も構造が複雑になるため形成加工面では不利である。また、盾を小型化すると防護効果が低下する問題点がある。
【０００８】
【発明が解決しようとする課題】
従来の技術は、暴動鎮圧を想定した防護目的の盾であり、全身または上半身を守るために大型の盾体で構成される。また、狭い室内での使用を想定していないため、盾体を小型化すると防護効果が低下する。
【０００９】
そこで本発明は、透明な盾面にフィルムを貼付することにより盾本体の強化をはかる、盾の取っ手または背面部に催涙ガスやスタンガンを装着する、盾面を前方に向けて湾曲させ刃物や鉄パイプ等が盾面で滑って横に流れるのを防ぐなどの特徴を有し、盾体の強度補強と必要最小限の反撃手段を備えることにより、視認性は良好で、素材単価の面でも有利で、加工や組み立てが簡単で、バランスが良い盾を提供することを目的とする。
【００１０】
【課題を解決するための手段】
上記の目的を達成するために請求項１に記載の発明は、盾本体の両面に全域を覆うフィルムを貼付し、盾面を前方に向けて湾曲させ、盾背面に取っ手を装着し、盾背面の一部を隠す部位を設け、外周縁に外枠を嵌めたことを特徴とするものである。
【００１１】
この発明は、機能性フィルムや構造性フィルムを透明な盾面に貼付することにより盾本体の強化をはかっている。機能性フィルムとしては、輸入品の「ハイテクフィルムＣＤ３３５」「スーパースマッシュ・プルーフＳＳＰ１２１８」「アートセキュリティー３００」等が利用でき、耐衝撃、耐火災のほか、耐爆発、耐銃弾性能を有するため、本発明に使用すれば十分な防犯効果を発揮することが期待できる。また、構造性フィルムとしては、荒いメッシュ状の硬度の高い素材を挟み込む製法で得ることができる。さらに、これらの素材を多層化すれば多様性の強化がはかれる。
【００１２】
盾面は緩やかなカーブを描いたものとし、どちらの面を前面にすることも可能であるが、通常は盾面を前方に向けて湾曲させた状態で使用する。これはナイフや鉄パイプを持った相手が向かってきたときに、武器が盾面ですべって横方向に流れるのを阻止するためと、盾を机などの平面に置いた場合に安定性がよいためである。
【００１３】
盾背面に装着された取っ手の切り欠き部は、安全上・美観上の理由から普段はふさいでおき、盾を使用するときに親指のワンタッチ操作で簡単に取り除くことができる構造や、ロック付きの押し込みボタン方式を採用して機能と外観を両立させる。
【００１４】
盾の材料としては視認性を確保するため透明なものを使用し、盾背面に装備した機材が賊に認識されるのを防止するため、一部を隠す塗装や色彩付きのフィルムを施す。他方、盾一面に塗装を施す仕様では、一部を塗装せずに残すことによりのぞき窓とする。こうすることにより、盾の一部をくり抜いて窓とし、そこに透明板を装着する方法に比べて加工が容易であり美観上も良い。盾面に塗装を施す代わりに色彩付きのフィルムを貼付したり、また濃色のフィルムの場合はのぞき窓の部分を切り抜くことも可能である。
【００１５】
盾の外周部が衝撃を受けたときにフィルムがはがれないように、盾の外周縁には外枠を嵌める。この外枠は、ナイフ等の武器が盾の周囲に流れるのを阻止する効果ももたらす。
【００１６】
重装備が必要でなく、刃物に対する一応の防御ができれば、防護ガスとスタンガンの連携プレーで、または防護ガスで賊への対応が可能との判断がある場合には、フィルムならびに外枠を装着しない盾で対処することも可能である。
【００１７】
盾本体の材質は、盾の使用目的からして片手でも取り扱える軽量材が求められるため、アクリル樹脂や強化プラスチック等の透明素材が適している。これにフィルムを片面または両面に貼ることによって、刃物や鉄パイプ、銃弾をも防ぐことのできる強度を得ることが可能である。なお、重量的には多少重くなるが、盾本体にガラス材を用い、上記フィルムを貼ることでも同様の効果を得ることができる。
【００１８】
盾の大きさは、身近な小スペースにも置くことのできる一辺が概ね３０〜４０センチ程度のものがよい。また形状は長方形に限らず、正方形、円形、多面体その他形状の如何を問わず利用可能である。
【００１９】
請求項２に記載の発明は、操作ノブを配置して取っ手内にスプレー缶を収納し、スプレー缶の噴射口から盾本体を貫通して表面まで達するノズル管を設けたことを特徴とするものである。
【００２０】
この発明は、盾を支えるため盾背面に取り付けた操作ノブを配置した取っ手内にスプレー缶を収納し、スプレー缶の噴射口から盾本体を貫通して表面まで達するノズル管を設け、約２メートルの距離までガス体や液体を噴霧または噴射させる機能を有する。スプレー缶に入れる物質は催涙ガスのほか、塗料その他相手の顔面や身体に打撃を与え、または容易に消えない色・しみ等を付け得るすべての物質とすることが可能である。またスプレー缶は、ガス圧・手動ポンプ・電動ポンプのいずれも使用可能で、発射機構を特定するものではない。
【００２１】
請求項３に記載の発明は、盾本体の背面に防犯用のスタンガンを装着し、表面のスタンガン取り付け用のボルトの頭部を放電電極と兼用することを特徴とするものである。
【００２２】
この発明は、スタンガン取り付け用のボルトの頭部を放電電極と兼用することを特徴とする。重量配分から考えてスタンガン本体を取り付ける位置は盾背面上の取っ手に近い部位とする。このスタンガン機能は市販スタンガンの１０万ボルト程度の放電電圧を有し、９０デシベル程度の高音量を発生する発音体を内蔵しているため、電極によるアーク放電現象と発音体からの音とで目と耳に対する威嚇効果も期待できる。スタンガンを取り付ける場合、その造作一式が相手から見えないように、盾に貼付するフィルムは濃い色のものを使用するか、または塗装して当該部分を見えなくして使用することが望ましい。
【００２３】
【発明の実施の形態】
以下、本発明の実施の形態について図１〜図３を参照して詳細に説明する。
図１は本発明による多機能盾の一実施例を示す斜視図、図２は多機能盾の正面図、図３は多機能盾の断面図を示す。
【００２４】
本発明は、賊が目の前に立ちはだかったとき、盾本体１の背面の取っ手２を利き腕で握り、賊の眼前にかざして賊の先制攻撃を防ぐとともに、取っ手２に取り付けてある切り欠き部３を親指で払い落とす。これによりスプレー缶４の噴射ボタン５が切り欠き部３の中から現われるので、相手との位置関係を見計らい親指で噴射ボタン５を押す。この動作でスプレー缶４内の催涙ガス等がノズル管６を経由して噴射され相手の顔面を直撃するために、相手は目に痛烈な痛みを生じ身動きができなくなる。盾本体１は透明で小型のため視認性が良く、ガス等をうまく命中させることができる。
【００２５】
また、盾本体１の取っ手２を握って相手の眼前にかざし、図示省略のスタンガン動作スイッチを入れる。この動作でスタンガン７は能動体制に入り、ボルト兼電極８でアーク放電現象と図示省略の高音量を発生する発音体による、目と耳に対する威嚇を試みる。スプレー缶４内の催涙ガス等の噴射動作とスタンガン７での威嚇動作のどちらが優先されるかは、状況判断にゆだねるものとする。
【００２６】
コンビニ・銀行等の室内でカウンター等の壁が存在する場所では催涙ガス等の噴射動作を優先し、相手の顔面にまず催涙ガス等を直撃して痛烈な痛みを生じさせ動きを抑制した後、カウンター等の壁を乗り越えて相手に近寄り、スタンガン７による電撃を加える効果的な使用方法もある。
【００２７】
盾本体１は、透明な素材を使用し視認性を確保する。盾本体１の強化をはかるために機能性フィルムや構造性フィルムを外層フィルム９や内層フィルム１０として貼る。厚みは５０μ〜３６０μ程度の製品があり、ポリエステル素材を基材に繊維を混入したり、荒いメッシュ状の硬度の高い素材を挟み込む製法で強度を得る。これらを単層で使用したり、多層化して目的の機能を得る。また、表面をハードコートすることも可能である。
【００２８】
盾本体１は、透明なものを使用し視認性を確保するため、盾背面に装備した機材が賊に認識されないように一部を隠す塗装部分または色彩付きのフィルムを施した不透明部分１１以外は、透明のまま残す。また、盾本体１の外周部が衝撃を受けたときに外層フィルム９や内層フィルム１０がはがれないように、盾の外周縁には外枠１２を嵌める。この外枠１２は、ナイフ等の刃物が上下左右に流れることを阻止する効果ももたらす。なお、背面の取っ手２は、ボルト１３により盾本体１と結合されている。
【００２９】
【発明の効果】
本発明の多機能盾は、以上に説明したような状態で実施され、以下に記載する効果が期待できる。
【００３０】
従来の盾が賊から自分や財産を守るためにだけ存在していたのに対し、この多機能盾は、催涙ガスやスタンガンによる相手への反撃機能や威嚇機能を有する盾であり、相手を無抵抗にして犯罪を防ぐことはもちろん、相手を取り押さえることにより同種犯罪の再発を防ぐこともできる点が最大の特徴である。盾は小型・軽量・強固でしかも操作が簡単なため、女性単独でも強盗犯に十分立ち向かうことができる。
【００３１】
催涙ガス、塗料等によるソフトな顔面攻撃と電流量が非常に少ない電撃ショックであるため、ある一定時間相手を動けなくするだけで相手に重傷を負わせたり死亡させることはまずなく、後で過剰防衛等の問題が出てくる恐れがない。
【図面の簡単な説明】
【図１】本発明の背面から見た斜視図である。
【図２】本発明の正面図である。
【図３】本発明の取っ手部の断面図である。
【符号の説明】
１・・・盾本体
２・・・取っ手
３・・・切り欠き部
４・・・スプレー缶
５・・・噴射ボタン
６・・・ノズル管
７・・・スタンガン
８・・・ボルト兼電極
９・・・外層フィルム
１０・・内層フィルム
１１・・不透明部分
１２・・外枠
１３・・ボルト
【図１】
2004138374.tif 000003
【図２】
2004138374.tif 000004
【図３】
2004138374.tif 000005